(57)【要約】【課題】カメラボディと撮像ユニットとの対応関係をより緩やかにし、かつ確実な結合状態と、その着脱操作が容易なロック機構により、カメラボディに様々な撮像ユニットとの組み合わせを可能とする。【解決手段】撮像ユニット２の係合爪とカメラボディ１の係合板部８ｂ’、及び一対の嵌合突起１４と一対の嵌合穴２２’を嵌合させて、カメラボディ１に撮像ユニット２を矢印Ｂ方向へ移動し結合状態とする。同時にロック機構の嵌合穴２２’近傍のフック部３３が、カメラボディ１のフック係合穴と係合して、結合状態を保持する。解除ボタン３０の押圧により、フック部３３を設けたスライダをスライドさせ、フック部３３とフック係合穴の係合を外して結合状態を解除可能とし、続けて撮像ユニット２を矢印Ｂの逆方向へ移動して撮像ユニット１を取り外す。【選択図】図４
2010206594.tif 000002
【特許請求の範囲】
【請求項１】
光学系と撮像素子とを有する直方体形状の筐体を有する撮像ユニットが着脱可能に配設される凹部が設けられたカメラボディであって、
前記筐体を凹部に配設して前記筐体を正面から見たときに、前記筐体の背面に臨む背面壁を有する背面壁構成体と、前記筐体の側面に臨む側面壁を有する側面壁構成体と、前記筐体の上面に臨む上面壁を有する上面壁構成体とを有し、前記筐体と前記凹部間で機械的かつ電気的に結合させた状態の保持または解除するロック機構を備え、
前記凹部が前記背面壁と前記側面壁と前記上面壁とによって構成され、前記撮像ユニットが前記凹部を構成する壁部と当接させて、前記ロック機構により着脱自在に結合することを特徴とするカメラボディ。
【請求項２】
撮像ユニットが着脱可能なカメラボディであって、前記撮像ユニット側から見て後方に存在する背面壁構成体と、前記背面壁構成体と一体で通常使用時に上側となる上面壁構成体と、前記背面壁構成体と前記上面壁構成体と一体の側面壁構成体とを有し、前記背面壁構成体と前記上面壁構成体と前記側面壁構成体とによって前記撮像ユニットが着脱可能に配設される凹部が構成され、前記撮像ユニットと前記凹部間で機械的かつ電気的に結合させた状態の保持または解除するロック機構を備え、前記凹部は下方と側方と前方とに開放されていることを特徴とするカメラボディ。
【請求項３】
前記ロック機構は、前記筐体と前記凹部間を結合するフック部と、前記結合の状態を解除する解除ボタンと、前記フック部に設けたスライダを前記解除ボタンの押圧に応じて移動させる押し部と、前記結合の状態を保持する方向に前記スライダを付勢する付勢部材と、を備えたことを特徴とする請求項１または２記載のカメラボディ。
【請求項４】
前記ロック機構の前記筐体と前記凹部間の結合状態を解除する解除ボタンが、前記筐体を前記凹部に配設して前記筐体を正面から見たときに、側面壁構成体の近傍に配設されることを特徴とする請求項１〜３のいずれか１項記載のカメラボディ。
【請求項５】
前記ロック機構の前記筐体と前記凹部間の結合状態を解除する解除ボタンが、前記筐体を前記凹部に配設して前記筐体を正面から見たときに、側面壁構成体の近傍で、かつ上面壁構成体の近傍に配設されることを特徴とする請求項１〜３のいずれか１項記載のカメラボディ。
【請求項６】
光学系と撮像素子とを有する直方体形状の筐体から構成され、かつ前記筐体を正面から見たときに、前記筐体の背面が装着時に臨む背面壁構成体と前記筐体の側面が臨む側面壁構成体と前記筐体の上面が臨む上面壁構成体とによって前記筐体を三方向から包囲すると共に、装着時に前記筐体の残余の面が位置する前方と下方と側方との三方向に向かって開放された凹部を構成するカメラボディに着脱可能な構造と、前記筐体と前記凹部間で機械的かつ電気的に結合させた状態の保持または解除するロック機構を有することを特徴とする撮像ユニット。
【請求項７】
前記ロック機構は、前記筐体と前記凹部間を結合するフック部と、前記結合の状態を解除する解除ボタンと、前記フック部に設けたスライダを前記解除ボタンの押圧に応じて移動させる押し部と、前記結合の状態を保持する方向に前記スライダを付勢する付勢部材と、を備えたことを特徴とする請求項６記載の撮像ユニット。
【請求項８】
光学系と撮像素子とを有する直方体形状の筐体を有する撮像ユニットと、前記撮像ユニットが着脱可能に配設される凹部を有するカメラボディとからなり、前記凹部は、該凹部に前記撮像ユニットを配設して前記筐体を正面から見たときに、前記筐体の背面に臨む背面壁構成体と、前記筐体の側面に臨む側面壁構成体と、前記筐体の上面に臨む上面壁構成体とによって構成され、前記筐体と前記凹部間で機械的かつ電気的に結合させた状態の保持または解除するロック機構を備えて、前記筐体の他の側面が臨む側方と前記筐体の正面が臨む前方と前記筐体の下面が臨む下方との三方向が開放されていることを特徴とする撮像システム。
【請求項９】
光学系と撮像素子とを有する直方体形状の筐体から構成され、かつ前記筐体を正面から見たときに、前記筐体の背面が装着時に臨む背面壁構成体と前記筐体の側面が臨む側面壁構成体と前記筐体の上面が臨む上面壁構成体とによって前記筐体を三方向から包囲すると共に、前記筐体の残余の面に対応する前方と下方と側方との三方向が開放された凹部を構成し、前記筐体と前記凹部間で機械的かつ電気的に結合させた状態の保持または解除するロック機構を備えたカメラボディに着脱される撮像ユニットのカメラボディに対する着脱方法であって、
前記撮像ユニットを前方から後方に向かって前記背面壁構成体に向かって押し込んで前記筐体の背面を前記背面壁構成体に装着した後、前記側面壁構成体に向かう方向に前記撮像ユニットを移動させて該撮像ユニットと前記カメラボディとの電気的接続を図ると共に、前記撮像ユニットを前記カメラボディにロック機構により結合状態を保持して前記凹部に前記撮像ユニットを配設し、前記カメラボディから前記撮像ユニットを抜き取るときには、ロック機構により前記カメラボディに対する前記撮像ユニットの結合状態を解除後、前記側面壁構成体から離間する方向に前記撮像ユニットを可動させることにより前記カメラボディと前記撮像ユニットとの電気的接続を断った後、前記撮像ユニットを後方から前方に向かって抜き取ることを特徴とする撮像ユニットのカメラボディに対する着脱方法。
【請求項１０】
光学系と撮像素子とを有する直方体形状の筐体から構成され、かつ前記筐体を正面から見たときに、前記筐体の背面が装着時に臨む背面壁構成体と前記筐体の側面が臨む側面壁構成体と前記筐体の上面が臨む上面壁構成体とによって前記筐体を三方向から包囲すると共に、前記筐体の残余の面に対応する前方と下方と側方との三方向が開放された凹部を構成し、前記筐体と前記凹部間で機械的かつ電気的に結合させた状態の保持または解除するロック機構を備えたカメラボディへ装着される撮像ユニットのカメラボディへの装着方法であって、
前記撮像ユニットを前方から後方に向かって前記背面壁構成体に向かって押し込んで前記筐体の背面を前記背面壁構成体に装着した後、前記側面壁構成体に向かう方向に前記撮像ユニットを移動させて該撮像ユニットと前記カメラボディとの電気的接続を図ると共に、前記撮像ユニットを前記カメラボディにロック機構により係合状態を保持して前記凹部に前記撮像ユニットを配設することを特徴とする撮像ユニットのカメラボディに対する装着方法。
【請求項１１】
光学系と撮像素子とを有する直方体形状の筐体から構成され、かつ前記筐体を正面から見たときに、前記筐体の背面が装着時に臨む背面壁構成体と前記筐体の側面が臨む側面壁構成体と前記筐体の上面が臨む上面壁構成体とによって前記筐体を三方向から包囲すると共に、前記筐体の残余の面に対応する前方と下方と側方との三方向が開放された凹部を構成し、前記筐体と前記凹部間で機械的かつ電気的に結合させた状態の保持または解除するロック機構を備えたカメラボディに結合状態とされ、しかも、電気的に前記カメラボディに接続された撮像ユニットのカメラボディに対する抜き取り方法であって、
前記ロック機構により前記カメラボディに対する前記撮像ユニットの結合状態の解除後、前記側面壁構成体から離間する方向に前記撮像ユニットを可動させることにより前記カメラボディと前記撮像ユニットとの電気的接続を断った後、前記撮像ユニットを後方から前方に向かって抜き取ることを特徴とする撮像ユニットのカメラボディに対する抜き取り方法。
【発明の詳細な説明】
【技術分野】
【０００１】
本発明は、ロック機構を有し、カメラボディに対して撮像ユニットが着脱可能な撮像システムで、その撮像システムに用いるカメラボディ、撮像ユニット、そのカメラボディへの撮像ユニットの着脱方法、その撮像ユニットのカメラボディに対する装着方法、その撮像ユニットのカメラボディに対する抜き取り方法に関するものである。
【背景技術】
【０００２】
従来、カメラボディに対して撮像ユニットが着脱可能な撮像システムが知られている（例えば、特許文献１参照。）。
【０００３】
この従来の撮像システムでは、カメラボディは撮像ユニットを着脱可能に格納する格納凹部を有する。この格納凹処は背面壁部と、この背面壁部と一体の上壁部と下壁部と側壁部とにより構成されている。そのカメラボディには、側壁部から遠い側に背面壁部と上壁部と下壁部とによって構成される着脱開口が設けられている。
【０００４】
撮像ユニットをその着脱開口に臨ませて背面壁部に沿って側壁部に向かって押し込むことにより、撮像ユニットはカメラボディに収容される。その逆に、撮像ユニットを背面壁部に沿って側壁部から遠ざかる方向に引き抜くことにより、撮像ユニットはカメラボディから取り外される。
【発明の概要】
【発明が解決しようとする課題】
【０００５】
しかしながら、この従来の撮像システムでは、格納凹部が背面壁部と上面壁部と下面壁部と側面壁部との四方向の壁部により囲まれ、カメラボディと撮像ユニットとは一対一の対応関係を強いられているので、撮像ユニットや形状の設計自由度が小さい。
【０００６】
本発明は、上記の事情に鑑みてなされたもので、カメラボディと撮像ユニットとの対応関係をより緩やかにし、かつ確実な結合状態と、その着脱操作が容易なロック機構を有し、カメラボディに対して様々な撮像ユニットを組み合わせることが容易な撮像システム、その撮像システムに用いるカメラボディ、撮像ユニット、そのカメラボディへの撮像ユニットの着脱方法、そのカメラボディへの装着方法、そのカメラボディからの撮像ユニットの抜き取り方法を提供することを目的とする。
【課題を解決するための手段】
【０００７】
前記の目的を達成するために、本発明に係る請求項１のカメラボディは、光学系と撮像素子とを有する直方体形状の筐体を有する撮像ユニットが着脱可能に配設される凹部が設けられたカメラボディであって、前記筐体を凹部に配設して前記筐体を正面から見たときに、前記筐体の背面に臨む背面壁を有する背面壁構成体と、前記筐体の側面に臨む側面壁を有する側面壁構成体と、前記筐体の上面に臨む上面壁を有する上面壁構成体とを有し、前記筐体と前記凹部間で機械的かつ電気的に結合させた状態の保持または解除するロック機構を備え、前記凹部が前記背面壁と前記側面壁と前記上面壁とによって構成され、前記撮像ユニットが前記凹部を構成する壁部と当接させて、前記ロック機構により着脱自在に結合することを特徴とする。
【０００８】
また、請求項２に記載のカメラボディは、撮像ユニットが着脱可能なカメラボディであって、前記撮像ユニット側から見て後方に存在する背面壁構成体と、前記背面壁構成体と一体で通常使用時に上側となる上面壁構成体と、前記背面壁構成体と前記上面壁構成体と一体の側面壁構成体とを有し、前記背面壁構成体と前記上面壁構成体と前記側面壁構成体とによって前記撮像ユニットが着脱可能に配設される凹部が構成され、前記撮像ユニットと前記凹部間で機械的かつ電気的に結合させた状態の保持または解除するロック機構を備え、前記凹部は下方と側方と前方とに開放されていることを特徴とする。
【０００９】
また、請求項３に記載の発明は、請求項１，２のカメラボディにおいて、前記ロック機構は、前記筐体と前記凹部間を結合するフック部と、前記結合の状態を解除する解除ボタンと、前記フック部に設けたスライダを前記解除ボタンの押圧に応じて移動させる押し部と、前記結合の状態を保持する方向に前記スライダを付勢する付勢部材と、を備えたことを特徴とする。
【００１０】
また、請求項４に記載の発明は、請求項１〜３のカメラボディにおいて、前記ロック機構の前記筐体と前記凹部間の結合状態を解除する解除ボタンが、前記筐体を前記凹部に配設して前記筐体を正面から見たときに、側面壁構成体の近傍に配設されることを特徴とする。
【００１１】
また、請求項５に記載の発明は、請求項１〜３のカメラボディにおいて、前記ロック機構の前記筐体と前記凹部間の結合状態を解除する解除ボタンが、前記筐体を前記凹部に配設して前記筐体を正面から見たときに、側面壁構成体の近傍でかつ上面壁構成体の近傍に配設されることを特徴とする。
【００１２】
また、請求項６に記載の撮像ユニットは、光学系と撮像素子とを有する直方体形状の筐体から構成され、かつ前記筐体を正面から見たときに、前記筐体の背面が装着時に臨む背面壁構成体と前記筐体の側面が臨む側面壁構成体と前記筐体の上面が臨む上面壁構成体とによって前記筐体を三方向から包囲すると共に、装着時に前記筐体の残余の面が位置する前方と下方と側方との三方向に向かって開放された凹部を構成するカメラボディに着脱可能な構造と、前記筐体と前記凹部間で機械的かつ電気的に結合させた状態の保持または解除するロック機構を有することを特徴とする。
【００１３】
また、請求項７に記載の発明は、請求項６の撮像ユニットにおいて、前記ロック機構は、前記筐体と前記凹部間を結合するフック部と、前記結合の状態を解除する解除ボタンと、前記フック部に設けたスライダを前記解除ボタンの押圧に応じて移動させる押し部と、前記結合の状態を保持する方向に前記スライダを付勢する付勢部材と、を備えたことを特徴とする。
【００１４】
また、請求項８に記載の撮像システムは、光学系と撮像素子とを有する直方体形状の筐体を有する撮像ユニットと、前記撮像ユニットが着脱可能に配設される凹部を有するカメラボディとからなり、前記凹部は、該凹部に前記撮像ユニットを配設して前記筐体を正面から見たときに、前記筐体の背面に臨む背面壁構成体と、前記筐体の側面に臨む側面壁構成体と、前記筐体の上面に臨む上面壁構成体とによって構成され、前記筐体と前記凹部間で機械的かつ電気的に結合させた状態の保持または解除するロック機構を備えて、前記筐体の他の側面が臨む側方と前記筐体の正面が臨む前方と前記筐体の下面が臨む下方との三方向が開放されていることを特徴とする。
【００１５】
また、請求項９に記載の撮像ユニットのカメラボディに対する着脱方法は、光学系と撮像素子とを有する直方体形状の筐体から構成され、かつ前記筐体を正面から見たときに、前記筐体の背面が装着時に臨む背面壁構成体と前記筐体の側面が臨む側面壁構成体と前記筐体の上面が臨む上面壁構成体とによって前記筐体を三方向から包囲すると共に、前記筐体の残余の面に対応する前方と下方と側方との三方向が開放された凹部を構成し、前記筐体と前記凹部間で機械的かつ電気的に結合させた状態の保持または解除するロック機構を備えたカメラボディに着脱される撮像ユニットのカメラボディに対する着脱方法であって、前記撮像ユニットを前方から後方に向かって前記背面壁構成体に向かって押し込んで前記筐体の背面を前記背面壁構成体に装着した後、前記側面壁構成体に向かう方向に前記撮像ユニットを移動させて該撮像ユニットと前記カメラボディとの電気的接続を図ると共に、前記撮像ユニットを前記カメラボディにロック機構により結合状態を保持して前記凹部に前記撮像ユニットを配設し、前記カメラボディから前記撮像ユニットを抜き取るときには、ロック機構により前記カメラボディに対する前記撮像ユニットの結合状態を解除後、前記側面壁構成体から離間する方向に前記撮像ユニットを可動させることにより前記カメラボディと前記撮像ユニットとの電気的接続を断った後、前記撮像ユニットを後方から前方に向かって抜き取ることを特徴とする。
【００１６】
また、請求項１０に記載の撮像ユニットのカメラボディに対する装着方法は、光学系と撮像素子とを有する直方体形状の筐体から構成され、かつ前記筐体を正面から見たときに、前記筐体の背面が装着時に臨む背面壁構成体と前記筐体の側面が臨む側面壁構成体と前記筐体の上面が臨む上面壁構成体とによって前記筐体を三方向から包囲すると共に、前記筐体の残余の面に対応する前方と下方と側方との三方向が開放された凹部を構成し、前記筐体と前記凹部間で機械的かつ電気的に結合させた状態の保持または解除するロック機構を備えたカメラボディへ装着される撮像ユニットのカメラボディへの装着方法であって、前記撮像ユニットを前方から後方に向かって前記背面壁構成体に向かって押し込んで前記筐体の背面を前記背面壁構成体に装着した後、前記側面壁構成体に向かう方向に前記撮像ユニットを移動させて該撮像ユニットと前記カメラボディとの電気的接続を図ると共に、前記撮像ユニットを前記カメラボディにロック機構により係合状態を保持して前記凹部に前記撮像ユニットを配設することを特徴とする。
【００１７】
また、請求項１１に記載の撮像ユニットのカメラボディに対する抜き取り方法は、光学系と撮像素子とを有する直方体形状の筐体から構成され、かつ前記筐体を正面から見たときに、前記筐体の背面が装着時に臨む背面壁構成体と前記筐体の側面が臨む側面壁構成体と前記筐体の上面が臨む上面壁構成体とによって前記筐体を三方向から包囲すると共に、前記筐体の残余の面に対応する前方と下方と側方との三方向が開放された凹部を構成し、前記筐体と前記凹部間で機械的かつ電気的に結合させた状態の保持または解除するロック機構を備えたカメラボディに結合状態とされ、しかも、電気的に前記カメラボディに接続された撮像ユニットのカメラボディに対する抜き取り方法であって、前記ロック機構により前記カメラボディに対する前記撮像ユニットの結合状態の解除後、前記側面壁構成体から離間する方向に前記撮像ユニットを可動させることにより前記カメラボディと前記撮像ユニットとの電気的接続を断った後、前記撮像ユニットを後方から前方に向かって抜き取ることを特徴とする。
【００１８】
前記した構成によれば、共通のカメラボディに対して大きさや機能の異なる撮像ユニットを着脱でき、カメラボディと撮像ユニットとの連係関係をより緩やかに、かつ確実な結合状態とすると共に着脱操作が容易にできる。また、撮像システムを取り扱う際、不用意にロック機構が解除操作されることを回避できる。
【発明の効果】
【００１９】
本発明によれば、共通のカメラボディに異なる撮像ユニットを着脱可能とし、さらにカメラボディと撮像ユニットとの連係関係をより緩やか、かつ確実な結合状態と、その着脱操作が容易な構成として、カメラボディと撮像ユニットとを別々にグレードアップすることができ、またカメラボディにおいて下面壁がないため、カメラボディの小型化、及び撮像ユニット装着の自由度、設計の自由度を向上することができるという効果を奏する。
【図面の簡単な説明】
【００２０】
【図１】本発明の実施例でカメラボディと撮像ユニットとの装着状態で、（ａ）は第１の撮像ユニットの装着状態、（ｂ）は第２の撮像ユニットの装着状態、（ｃ）はカメラボディの背面側を示す外観図
【図２】本実施例でカメラボディと撮像ユニットとの分解状態で、（ａ）はカメラボディから第１の撮像ユニットを取り外した状態、（ｂ）は第２の撮像ユニットを取り外した状態を示す外観図
【図３】本実施例のカメラボディと撮像ユニットとの分解状態で、（ａ）はカメラボディ、（ｂ）は第１の撮像ユニットの背面側、（ｃ）は第２の撮像ユニットの背面側を示す外観図
【図４】本実施例の分解状態で撮像ユニット及びカメラボディを右斜め方向から見た外観図
【図５】本実施例のロック機構で、（ａ）概略構成を示す斜視図、（ｂ）はスライダの拡大斜視図
【図６】本実施例のロック機構で結合状態を保持した、（ａ）は正面図、（ｂ）は側面図
【図７】本実施例のロック機構で結合状態を解除した、（ａ）は正面図、（ｂ）は側面図
【図８】本実施例の撮像システムにおける解除ボタンの配設例を示す外観図
【図９】本実施例のカメラボディ及び撮像ユニットに内蔵の電装部品の回路構成例を示す図
【図１０】本実施例のカメラボディ及び撮像ユニットに内蔵の電装部品の他の回路構成例を示す図
【発明を実施するための形態】
【００２１】
以下に、本発明に係わる撮像システム、この撮像システムに用いるカメラボディ、撮像ユニット、そのカメラボディへの撮像ユニットの着脱方法、その撮像ユニットのカメラボディに対する装着方法、その撮像ユニットのカメラボディに対する抜き取り方法を図面を参照しつつ説明する。
【実施例】
【００２２】
（実施例１）
図１（ａ）、（ｂ）は本発明に係わる直方体形状の筐体を有する撮像ユニットをカメラボディに装着した状態を示し、この図１において、１はカメラボディ、２、２’は直方体形状の筐体２ａ、２ａ’を有する撮像ユニットである。ここでは、撮像ユニット２、２’は交換レンズ鏡胴ユニットからなり、その撮像ユニット２はレンズ鏡胴３を有し、その撮像ユニット２’はレンズ鏡胴３’を有する。また、直方体形状の撮像ユニット２の筐体２ａと撮像ユニット２’の筐体２ａ’とは大きさが異なり、同様に、レンズ鏡胴３とレンズ鏡胴３’とも大きさが異なっている。
【００２３】
この撮像ユニット２、２’は、図２（ａ）、（ｂ）に示すように、その大きさは異なっているが同一のカメラボディ１に対して着脱可能とされている。また、撮像ユニット２、２’に設けられた解除ボタン３０を押圧することによって、その内部に配設されたロック機構によるカメラボディ１と撮像ユニット２、２’との結合状態を解除する。
【００２４】
そのカメラボディ１は、図２に示すように、筐体２ａ、２ａ’の配設空間としての凹部１Ａを有する。そのカメラボディ１にはその凹部１Ａを構成する３個の構成体として、撮像ユニット２、２’を正面から見て撮像ユニット２、２’がカメラボディ１に装着されて凹部１Ａに配設されたときに筐体２ａ、２ａ’の背後に位置する背面壁構成体１Ｂと、撮像ユニット２、２’を正面（矢印Ｚ方向）から見て撮像ユニット２、２’がカメラボディ１に装着されて凹部１Ａに配設されたときに筐体２ａ、２ａ’の左側（矢印Ｘ方向と逆方向の側）に位置する側面壁構成体１Ｃと、撮像ユニット２、２’を正面から見て撮像ユニット２、２’がカメラボディ１に装着されて凹部１Ａに配設されかつ撮像ユニット２、２’の通常使用時に筐体２ａ、２ａ’の上側（矢印Ｙ方向の側）に位置する上面壁構成体１Ｄとを有する。背面壁構成体１Ｂと側面壁構成体１Ｃと上面壁構成体１Ｄとは一体に形成されている。
【００２５】
その背面壁構成体１Ｂと側面壁構成体１Ｃと上面壁構成体１Ｄとのいずれかには、カメラボディ１、撮像ユニット２、２’を電気的に操作する操作部が設けられ、例えば、その上面壁構成体１Ｄには、図１、図２に示すように、操作部としてのレリーズボタン５ｙが設けられている。
【００２６】
背面壁構成体１Ｂは筐体２ａ、２ａ’の装着時にその背面に対面する背面壁４を有する。この背面壁４は、撮像ユニット２、２’の凹部１Ａへの非配設時に外部に露呈されている。その背面壁４は、筐体２ａ、２ａ’を背面から見たときに、筐体２ａ、２ａ’の背面形状に対応する概略長方形状の輪郭形状を呈している。その図２において、符号４ａは筐体２ａ、２ａ’の背面の左右方向に延びる上辺部に対応する背面壁４の上辺部を示し、符号４ｂは筐体２ａ、２ａ’の背面の左右方向に延びる下辺部に対応する背面壁４の下辺部を示し、符号４ｃは筐体２ａ、２ａ’の背面の上下方向に延びる左辺部に対応する背面壁４の左辺部を示し、符号４ｄは筐体２ａ、２ａ’の背面の上下方向に延びる右辺部に対応する背面壁４の右辺部を示している。
【００２７】
上面壁構成体１Ｄは筐体２ａ、２ａ’の装着時にその上面に対面しかつ左右方向に延びかつひさし形状の上面壁５を有する。この上面壁５は、上面壁構成体１Ｄが上側に位置するようにして側面壁構成体１Ｃを側方から直視したとき前方に向かって背面壁４の上辺部４ａから起立されているように見える。
【００２８】
上面壁構成体１Ｄの前面５ａには照明手段としてのストロボ発光部５ｂがその右方に配設されている。なお、ここでは、ストロボ発光部５ｂは上面壁構成体１Ｄに設けることにして説明したが、このストロボ発光部５ｂは側面壁構成体１Ｃに設けても良い。ストロボ発光部５ｂを上面に設けることにより、撮像ユニット２のレンズの光軸よりも上側から被写体を照明でき、被写体の照明を適切に行うことができる。
【００２９】
側面壁構成体１Ｃは、筐体２ａ、２ａ’の配設時にその筐体２ａ、２ａ’の側面が対面される側面壁６を有する。この側面壁６は、背面壁構成体１Ｂが下側に位置しかつ上面壁構成体１Ｄが右側に位置ししかも前方が上側に位置するようにしてこの側面壁６を直視したときに左辺部４ｃから上方に向かって起立されているように見える。その側面壁構成体１Ｃは側面壁６から上方に向かって膨出する膨出部１ｃを有する。この膨出部１ｃはグリップ部として用いられる。その側面壁構成体１Ｃの内部には収納室が形成され、この収納室には、電池、撮像装置に要求される各種の電装部品が内蔵されている。すなわち、この収納室には、電池、操作部の操作により撮像ユニット２を制御するのに用いられる回路、撮像ユニット２により撮像された画像を処理する処理回路、撮像ユニット２により撮像されかつ処理回路により処理された画像を記録保存する記録媒体、電源回路、ストロボ制御回路、これらを構成する回路部品を搭載する回路基板等が収納される。
【００３０】
その凹部１Ａは、図３（ａ）に概略を示すように、その背面壁４と上面壁５と側面壁６とによって、その輪郭形状が規定される。この凹部１Ａは、筐体２ａ、２ａ’が配設されたときにその筐体２ａ、２ａ’の残余の面としての下面が位置する下方と、筐体２ａ、２ａ’の残余の面としての右側面が位置する右側方と、筐体２ａ、２ａ’の残余の面としての正面が位置する前方との三方向に向かってが開放されている。この凹部１Ａには、大きさの異なるレンズ鏡胴３や大きさの異なる撮像ユニット２、２’が交換可能に配設される。その背面壁構成体１Ｂの背面には、図１（ｃ）に示すように、撮像ユニット２、２’により撮像された画像を表示する表示面１ｂが設けられている。表示面１ｂには記録媒体に記録された画像が再生可能である。背面壁構成体１Ｂは側面壁構成体１Ｃに連続的につながっている。この背面壁構成体１Ｂの大きさは表示面１ｂの大きさによって概略規定されるが、その表示面１ｂは背面壁構成体１Ｂに設けても、設けなくとも良い。
【００３１】
撮像ユニット２には、図４に示すように、側面壁６に対面する左側面２ｂに上下方向に延びるコネクタ部１１としての差し込みプラグが設けられている。この差し込みプラグは電気回路が配線されたプラグ基板セット（図示を略す）に固定されている。このプラグ基板セットは撮像ユニット２の内部にフローティング構造で配設されている。
【００３２】
このフローティング構造は、カメラボディ１に撮像ユニット２を装着してコネクタ部１１とコネクタ部１２との電気的接合を図る際に、コネクタ部１１とコネクタ部１２との取り付け誤差を吸収緩和して、そのコネクタ部１１とコネクタ部１２とを嵌合させる際に加わる応力を緩和する機能を果たす。
【００３３】
コネクタ部１１の近傍には、後述するロック機構のフック部３３が配設され、図３（ａ）に示すフック係合穴３６とによって、カメラボディ１に装着された撮像ユニット２、２’との結合をする。
【００３４】
また、カメラボディ１には、図３（ａ）に示すようにその側面壁６に上下方向に延びるコネクタ部１２が設けられている。コネクタ部１２はその上下方向両端部に位置決め突起１２ａ、１２ａを有し、コネクタ部１１はその上下方向両端部に図示を略す位置決め穴を有する。そのコネクタ部１１、１２には、例えば、市販のベイコネクタが用いられる。
【００３５】
そのコネクタ部１２は背面壁構成体１Ｂが下側に位置しかつ上面壁構成体１Ｄが右側に位置ししかも前方が上側に位置するようにして側面壁６を正視したときに背面壁４から立ち上がって見える側面壁６の立ち上がり基部に不用意に触られないように配設されている。そのコネクタ部１２はコネクタ端子をカバーするカバー部材（図示せず）を有する。このカバー部材はカメラボディ１に撮像ユニット２を装着するとき、人の手が触れて、人体にたまっている静電気の放電により、電気回路、電気素子等が静電破壊されるのを防止する役割を有する。
【００３６】
そのコネクタ部１２は凹部１Ａに露呈されており、このコネクタ部１２は、撮像ユニット２をカメラボディ１に装着する際の撮像ユニット２の右から左に向かう方向への移動（図４の矢印Ｂ参照）に伴ってコネクタ部１１に嵌合されて、カメラボディ１と撮像ユニット２とが電気的に接続される。なお、カメラボディ１に撮像ユニット２を装着する詳細については後述する。
【００３７】
図３（ａ）に示すベース板８は図示を略す止めネジにより背面壁構成体１Ｂに固定される。その背面壁構成体１Ｂには、撮像ユニット２のコネクタ部１１に対するカメラボディ１のコネクタ部１２の位置関係を撮像ユニット２のガイド機構と協働して規制しつつこの撮像ユニット２を右から左に向かって案内するガイド機構が設けられている。
【００３８】
そのベース板８は略長方形状の金属製の薄板から構成されている。このベース板８はカメラボディ１側のガイド機構の一部を構成している。そのベース板８の上縁壁には、側面壁６に近い左辺部４ｃ側にガイド壁８ａが形成され、側面壁６から遠い右辺部４ｄ側に係合板部８ａ’が形成されている。ベース板８の下縁壁には、側面壁６に近い左辺部４ｃ側にガイド壁８ｂが形成され、側面壁６から遠い右辺部４ｄ側に係合板部８ｂ’が形成されている。一対のガイド壁８ａ、８ｂは、後述する一対のガイド突起が摺接されてコネクタ部１１とコネクタ部１２との位置関係を規制する。一対の係合板部８ａ’、８ｂ’は、後述する一対の係合爪が係合される。そのベース板８の係合板部８ａ’とガイド壁８ａとの間の上辺部は左右方向に延びる切り欠き部８ｃとされ、そのベース板８の係合板部８ｂ’とガイド壁８ｂとの間の下辺部は切り欠き部８ｄとされている。
【００３９】
この一対の係合板部８ａ’、８ｂ’には撮像ユニット２を背面壁構成体１Ｂに向けて付勢する付勢手段としての付勢板バネ（後述する）が設けられる。その一対の係合板部８ａ’、８ｂ’は、カメラボディ１に撮像ユニット２を装着してこの撮像ユニット２がカメラボディ１にロックされている状態で、この撮像ユニット２に前方に向かう方向の力を加えたときに、この力による引抜けを防止する機能を後述する一対の係合爪と協働して果たす。
【００４０】
背面壁４には、側面壁構成体１Ｃが左側に位置しかつ上面壁構成体１Ｄが上側に位置するようにして背面壁４を正面から目視したときに、図２（ａ），（ｂ）に示すように、上辺部４ａに沿って左右方向に長く延びる上側凹溝１３ａと、この上側凹溝１３ａと平行でかつ背面壁４の下辺部４ｂに沿って左右方向に長く延びる下側凹溝１３ｂとが上下方向に大きく間隔を開けて形成されている。その上側凹溝１３ａ、下側凹溝１３ｂの右方は外部に向かって開放される開放端１３ａ’、１３ｂ’とされている。この上側凹溝１３ａ、下側凹溝１３ｂはガイド機構の一部を構成している。
【００４１】
側面壁６には凹部１Ａに向かって突出する一対の嵌合突起１４、１４が、図３（ａ）に示すように、上下方向に間隔を開けて設けられている。この一対の嵌合突起１４、１４は一対の係合板部８ａ’、８ｂ’と協働して撮像ユニット２をカメラボディ１に保持する役割を果たす。この一対の嵌合突起１４、１４は、不用意な捩れ力が撮像ユニットに加わった際、図４に示す一対の嵌合穴２２’、２２’と協働して、カメラボディ１のコネクタ部１２のコネクタ端子、撮像ユニット２のコネクタ部１１のコネクタ端子が破壊されるのを防止する機能をも有する。
【００４２】
一対の嵌合突起１４、１４は背面壁構成体１Ｂが下側に位置しかつ上面壁構成体１Ｄが右側に位置ししかも前方が上側となるようにして側面壁６を直視したときにコネクタ部１２よりも上部に配設されている。また、その近傍にロック機構のフック部３３が係合するフック係合穴３６が配設されている。
【００４３】
撮像ユニット２には側面壁６に対面される左側面に、図４に示すように、装着時に一対の嵌合突起１４、１４が嵌合される一対の嵌合穴２２’、２２’が形成されている。その撮像ユニット２の背面には、撮像ユニット２をカメラボディ１にロックする係合板２３が図３（ｂ），（ｃ）に示すように図示を略す止めネジにより固定されている。
【００４４】
係合板２３には、図３（ｂ），（ｃ）に示すように、装着時に上側凹溝１３ａ、下側凹溝１３ｂに挿入されてガイド壁８ａ、８ｂに摺接される一対のガイド突起２３ａ、２３ｂが切り起しにより形成されていると共に、装着時に上側凹溝１３ａ、下側凹溝１３ｂに挿入されてベース板８の厚さ方向から一対の係合板部８ａ’、８ｂ’に係合する係合爪２３ｃ、２３ｄが切り起しにより形成されている。その係合爪２３ｃ、２３ｄは、起立部と屈曲部とにより構成されている。
【００４５】
図５は撮像ユニット内部に備えるロック機構であり（ａ）は概略斜視図、（ｂ）はスライダの拡大図である。図５は、カメラボディ１に撮像ユニット２を装着し（図４参照）、撮像ユニット２の前カバー３５とレンズ鏡胴３を取り払った状態のロック機構を示したものである。
【００４６】
ロック機構には、フック部３３、押し部３４、穴３７から構成されたスライダ３１を備える（図５（ｂ）参照）。スライダ３１は押さえ板３９により保持され、押さえ板３９は撮像ユニット２のカバー部分にネジ止めされている。また、押さえ板３９にはローラ３８が配設されており、スライダ３１に設けた穴３７と係合することによって、図５（ａ）中で略上下方向（矢印Ｃ方向）にスライド可能になっている。
【００４７】
図６には、撮像ユニットの前カバーとレンズ鏡胴を取り払った状態の（ａ）は正面図、（ｂ）は側面図を示しており、図６に示すスライダ３１には付勢手段であるスプリング３２が掛けられ、このスプリング３２によって、スライダ３１は図６（ａ）中で上方向に常に付勢され、撮像ユニット２をカメラボディ１に装着時の結合状態を保持している。
【００４８】
また、撮像ユニット２の前カバー３５に設けられた穴に係合して、解除ボタン３０が配設されており（図４参照）、図６（ｂ）に示すように、解除ボタン３０の先端は、スライダ３１に設けられた押し部３４と係合している。この解除ボタン３０を押圧することで、スライダ３１がスプリング３２の付勢する方向に抗してスライドし、結合状態を解除する。
【００４９】
次に、撮像ユニット２のカメラボディ１への装着について説明する。いま、使用者は、撮像ユニット２を手で持って、例えば、図４に示すカメラボディ１の上側凹溝１３ａ、下側凹溝１３ｂに図３（ｂ）に示す一対のガイド突起２３ａ、２３ｂ、一対の係合爪２３ｃ、２３ｄを挿入可能な姿勢とする。また、その一対のガイド突起２３ａ、２３ｂがガイド壁８ａ、８ｂに摺接可能な姿勢とすると共に、係合爪２３ｃ、２３ｄが係合板部８ａ’、８ｂ’に係合可能な姿勢とする。そして、使用者は、撮像ユニット２の姿勢を保ちながら手で持ってカメラボディ１に前方から後方に向かう矢印Ａ方向（図４参照）に押し込む。これにより、撮像ユニット２の筐体２ａの背面がカメラボディ１の背面壁４に当て付けられる。
【００５０】
カメラボディ１に対して撮像ユニット２を左方の側面壁部６に向けて矢印Ｂ方向（図４参照）に移動させると、ガイド突起２３ａ、２３ｂがガイド壁８ａ、８ｂに摺接されつつ、かつ係合爪２３ｃ、２３ｄが係合板部８ａ’、８ｂ’に向かう方向に移動される。その結果、係合爪２３ｃ、２３ｄの屈曲部が付勢板バネに当接され、この付勢板バネの付勢力により撮像ユニット２の筐体２ａの背面がカメラボディ１の背面壁４に密接される。これにより、カメラボディ１に対する撮像ユニット２のガタツキが解消される。
【００５１】
続けて、撮像ユニット２を側面壁６に向けて移動させると、一対の嵌合突起１４、１４が一対の嵌合穴２２、２２に嵌合される。これにより、コネクタ部１１とコネクタ部１２との相対位置関係が補助的に規制される。コネクタ部１２の位置決め突起１２ａ、１２ａがコネクタ部１２の位置決め穴（図示を略す）に嵌合される。これにより、コネクタ部１１、１２のコネクタ端子同士が電気的に接触され、コネクタ部１１とコネクタ部１２とが電気的に接合される。それと同時に、フック部３３が図３（ａ）のフック係合穴３６に係合すると共に、スプリング３２によりスライダ３１がスライドすることによって、結合状態を保持する(図５（ａ）参照)。
【００５２】
また、ロック機構の解除ボタン３０は、図１、図２に示す撮像ユニット２、２’では、撮像ユニット２、２’を正面から見て右上部に配設しているが、より好ましくは、図４の撮像ユニット２、２’を装着するカメラボディ１の側面壁構成体１Ｃ側に配設する。これによって、使用者が手で撮像ユニット２を取り外す場合に、グリップ部となる膨出部１ｃを持ちながら解除ボタン３０を押すことにより結合状態（ロック）を解除する。
【００５３】
この解除時に、解除ボタン３０を押す方向と撮像ユニット２をスライドする方向とが合っていると、ワンアクションにより撮像ユニット２のロックを外しながら、撮像ユニットをスライドさせることができ、操作性の良いロック機構として成り立っている。
【００５４】
さらに、前述の解除ボタン３０の配設とすることによって、解除ボタン３０より出っ張った膨出部１ｃとレンズ鏡胴３が左右に形成される。このことにより、解除ボタン３０の両側が凸物に守られる形になり、撮像システムをポケットや鞄の中に収納しているときなどに、解除ボタン３０が不用意に押され、撮像ユニット２が外れてしまうといった不具合を防ぐことができる。
【００５５】
なお、撮像ユニット２のカメラボディ１への装着完了状態では、一対の係合爪２３は係合板部８ａ’、８ａ’に確実に係合している。側面壁６に形成の一対の嵌合突起１４、１４とこの一対の嵌合突起１４、１４から大きく離れた一対の係合爪２３ｃ、２３ｄとによって、撮像ユニット２はカメラボディ１にガタつきなく保持されているので、撮像ユニット２に矢印Ａ方向（図４参照）と反対方向の力を加えて、撮像ユニット２を前方側に向かって引き抜こうとしても、その引き抜きが阻止され、かつ、その引き抜きの際に、コネクタ部１１、１２に引き抜きに伴う無理な力が加わるのが阻止される。
【００５６】
また、撮像ユニット２の右側の下辺部を手で持って、右下に向けて無理矢理に引き抜こうとしても、同様に、一対の嵌合突起１４、１４とこの一対の嵌合突起１４、１４から大きく離れた一対の係合爪２３ｃ、２３ｄとによって、撮像ユニット２はカメラボディ１にガタなく固定されているので、その引き抜きが阻止され、コネクタ部１１、１２に引き抜きに伴う無理な力が加わるのが阻止される。
【００５７】
なお、撮像ユニット２、２’には、上側凹溝１３ａ、下側凹溝１３ｂに対向する背面に、カメラボディ１への撮像ユニット２の装着時にこの上側凹溝１３ａ、下側凹溝１３ｂの開放端１３ａ’、１３ｂ’を塞いで、装着時の見栄えを良くするための化粧用蓋部２５が図３（ｂ）、（ｃ）に示すように設けられている。
【００５８】
この実施例１では、撮像ユニット２をカメラボディ１に矢印Ａ方向から装着し、その後、矢印Ｂ方向に移動させて撮像ユニット２とカメラボディ１との電気的接続を図る構成としたが、矢印Ｂ方向からの移動のみで撮像ユニット２とカメラボディ１との電気的接続を図る構成としても良い。
【００５９】
次に、撮像ユニット２のカメラボディ１に対する抜き取りについて、図７を参照しつつ説明する。図７（ａ）、（ｂ）は前述した図６の結合状態を解除するためスライダを移動させた状態を示す正面図と側面図である。
【００６０】
図６（ａ）に示す撮像ユニット２内部のロック機構は、スライダ３１上に設けられた穴３７と、押さえ板３９上に設けられたローラ３８とが嵌合することで、図６中の上下に移動可能になっている。そして、図６（ｂ）に示すように、スライダ３１はスプリング３２によって、常に上方向に付勢されており、解除ボタン３０が押されていない状態では、撮像ユニット２から突出した状態となっている。
【００６１】
また、解除ボタン３０は、スライダ３１の押し部３４の上部と当接した状態であり、スライダ３１のフック部３３は図３（ａ）のフック係合穴３６に係合することになり、撮像ユニット２とカメラボディ１の結合状態を保持している。
【００６２】
図７（ｂ）に示すように、ロック機構の解除ボタン３０が使用者によって押されたとき、解除ボタン３０は図７中の右方向に移動し、スライダ３１に設けられた押し部３４を押して、図７中の下方向にスライダ３１をスライドさせる。これにより、スライダ３１のフック部３３もスプリング３２の付勢力に抗して下方向に移動し、その結果、フック部３３と図３（ａ）のフック係合穴３６との係合が外れ、撮像ユニット２とカメラボディ１との結合状態が解除可能とされ、取り外しができる。
【００６３】
以上の動作により、使用者が解除ボタン３０を押すことで、機械的接続の結合状態を解除して、撮像ユニット２を図４の矢印Ｂの逆方向に移動させて電気的接続を解除し、さらに、矢印Ａの逆方向に取り外し、撮像ユニット２とカメラボディ１とを分離することができる。
【００６４】
また、撮像ユニット２上の解除ボタン３０を図８に示すように、側面壁構成体１Ｃの近傍で、かつ上面壁構成体１Ｄの近傍となる位置に配設しても良い。このように配設することで、撮像システムを使用する際に、不用意に解除ボタン３０に触れることを回避でき、その操作性を向上させることができる。また、内部のロック機構については、図５〜図７に示す機構を上下対称にすれば構成可能となるので、その説明は省略する。
【００６５】
次に、図９を参照しつつカメラボディ１、撮像ユニット２に搭載される電装部品について説明する。
【００６６】
カメラボディ１には、例えば、図９に示すように、リチウムイオンバッテリ２０４、ストロボ発光部２０７（５ｂ）、電子ビューファインダー装置２０９、液晶表示装置（LCD）２１０、ハイビジョンテレビジョンコネクタインタフェース（HDMI-I/F）２１２、オーディオビデオ（AV-OUT）出力端子２１３、ＵＳＢインタフェース（USB-I/F）２１４、ＳＤカードインタフェース（SD card）２１５、オーディオコーデック回路（Audio codec）２１６、スピーカ２１７、マイクロフォン２１８、フラッシュＲＯＭ（Flash ROM）２１９、ＤＤＲ−ＳＤＲＡＭ２２０、メインＣＰＵ２０８、操作スイッチ２０６、２１１、サブＣＰＵ（Sub CPU）２０５、ＤＣ／ＤＣ電源回路２０３、スイッチング素子２０２、コネクタ部１２としてのコネクタ端子２０１が設けられている。
【００６７】
これらは、撮像装置としてのデジタルカメラに要求される公知の機能を有する電装部品の一部を構成している。その操作スイッチ２０６は例えばレリーズボタン５ｙであり、操作スイッチ２１１は例えば液晶表示装置（LCD）２１０等を操作する操作キーである。その液晶表示装置（LCD）２１０は例えば背面壁構成体１Ｂに設けられている。その操作スイッチ２１１はその背面壁構成体１Ｂの適宜箇所に設けられる。
【００６８】
撮像ユニット２の筐体２ａには、光学系としての撮像レンズユニット１０７、撮像素子１０８、ＡＦＥ回路１０９、ホール素子（Hall element）１０４、駆動コイル（Coil）１０５、ジャイロセンサ（Gyro sensor）１０６、駆動ドライバ（Motor Driver）１１１、駆動モータ（Motor）１１０、加速度検出センサ１１２、テレワイド検出スイッチ１１３、コネクタ部１１としてのコネクタ端子１１６が設けられている。
【００６９】
これらも撮像装置としてのデジタルカメラに要求される公知の機能を有する電装部品の一部を構成している。その撮像レンズユニット１０７は複数個のレンズを有し、この複数個のレンズの一部はレンズ鏡胴３に設けられている。
【００７０】
なお、この実施例１では、駆動モータ１１０、駆動ドライバ１１１を撮像ユニット２に設ける構成として説明しているが、これらはカメラボディ１に設ける構成とすることもできる。
【００７１】
ここでは、撮像ユニット２にはカメラボディ１から電源電力が供給される。例えば、ホール素子１０４、駆動コイル１０５、ジャイロセンサ１０６は手ぶれ補正機構の一部を構成している。この手ぶれ補正機構の信号はコネクタ端子１１６、２０１を介してメインＣＰＵ２０８に入力され、メインＣＰＵ２０８はこれらの信号に基づき手ぶれ補正処理を実行する。手ぶれ補正処理は、手ぶれによって発生する撮像素子の受光面上に投影される画像のぶれを補正する処理である。例えば、ジャイロセンサ１０６により検出したぶれの方向と反対の方向に撮像素子を駆動する処理であっても良いし、また、ジャイロセンサ１０６により検出したぶれの方向と同一の方向に撮像レンズユニット１０７の一部の光学素子を駆動する処理であっても良い。
【００７２】
撮像素子１０８の映像信号はＡＦＥ回路１０９を介してメインＣＰＵ２０８に入力され、所定の画像処理が施されてＬＣＤ２１０等に表示される。
【００７３】
テレワイド検出スイッチ１１３はコネクタ端子１１６、２０１を介してメインＣＰＵ２０８に入力され、メインＣＰＵ２０８はテレワイド検出スイッチ１１３、操作スイッチ２１１等のスイッチ信号に基づいて駆動ドライバ１１１、駆動モータ１１０を制御し、これにより、撮像レンズユニット１０７を駆動制御する。
【００７４】
加速度センサ１１２の検出出力は、コネクタ端子１１６、２０１を介してメインＣＰＵ２０８に入力され、メインＣＰＵ２０８はその加速度センサ１１２の検出出力に基づいてＬＣＤ２１０に表示される画像の傾きを制御する。ＬＣＤ２１０には、加速度センサ１１２の検出出力に基づいて、水平に対する撮像ユニット２の傾き具合が表示される。水平に対する撮像ユニット２の傾き具合は、数値による表示であっても、映像による表示あっても良い。
【００７５】
その撮像ユニット２、２’には、図１０に示すように、ＤＣ／ＤＣ電源回路１０１、サブＣＰＵ１０２、メインＣＰＵ１０３、フラッシュＲＯＭ１１４、ＤＤＲＳＤＲＡＭ１１５を設け、メインＣＰＵ１０３で画像処理を行った後、コネクタ端子１１６、２０１を介して画像処理信号をメインＣＰＵ２０８に送信する構成を採用することもできる。メインＣＰＵ１０３でＪＰＥＧ等のフォーマットへの圧縮処理を行い、コネクタ端子１１６、２０１を介して圧縮された画像データをメインＣＰＵ２０８に送信する構成を採用することもできる。このように、撮像ユニット２、２’で画像処理、または圧縮処理を行う構成とすると、ノイズの少ない安定した画像をカメラボディ１のメインＣＰＵ２０８に送信することができる。
【００７６】
この発明の実施の形態によれば、図１に示すように、同一のカメラボディ１に対して、大きさの異なるレンズ鏡胴３、３’や大きさの異なる撮像素子を有する撮像ユニット２、２’を着脱可能である。図１に示す撮像ユニット２’のレンズ鏡胴３’は撮像ユニット２のレンズ鏡胴３よりも上方に向かって筐体２ａ’からはみだしている。なお、撮像ユニット２、２’の筐体２ａ、２ａ’の下面とカメラボディ１の下面とは撮像ユニット２、２’をカメラボディ１に装着したときに面一となるように、カメラボディ１、撮像ユニット２、２’を構成するのが望ましい。
【００７７】
すなわち、ここでは、カメラボディ１の凹部１Ａは三方向に開放され、カメラボディ１に対する撮像ユニット２の大きさの制約が緩和され、かつロック機構において確実に結合すると共に着脱操作が容易にできるので、顧客のニーズに合わせて大型の高感度撮像素子や小型の撮像素子を撮像ユニット２に配設することができ、レンズ鏡胴や撮像素子の異なる撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニットを提供できる。したがって、顧客は、撮像素子１０８の進歩に応じて撮像ユニット２のみを購入し、グレードアップを図ることができることになる。また、コネクタ部１１、１２にベイコネクタを用いたので、短時間で画像データの転送を行うことができる。
【００７８】
以上、本発明の実施例を説明してきたが、本発明の具体的な実施形態は、前述した実施例に限るものではなく、本発明の要旨を逸脱しない範囲の変更があったとしても本発明に含まれる。
【産業上の利用可能性】
【００７９】
本発明によれば、共通のカメラボディに異なる撮像ユニットを着脱でき、さらにカメラボディと撮像ユニットとの連係関係をより緩やか、かつ確実な結合状態と、その着脱操作が容易な構成として、カメラボディと撮像ユニットとを別々にグレードアップすることができ、またカメラボディにおいて下面壁がないため、カメラボディの小型化、及び撮像ユニット装着の自由度、設計の自由度を向上することができるため、カメラボディと撮像ユニットが着脱自在な撮像システムとして有用である。
【符号の説明】
【００８０】
１  カメラボディ
１Ａ  凹部
１Ｂ  背面壁構成体
１Ｃ  側面壁構成体
１Ｄ  上面壁構成体
２  撮像ユニット
２ａ  筐体
３  レンズ鏡胴
３０  解除ボタン
３１  スライダ
３２  スプリング
３３  フック部
３４  押し部
３５  前カバー
３６  フック係合穴
３７  穴
３８  ローラ
３９  押さえ板
【先行技術文献】
【特許文献】
【００８１】
【特許文献１】特開２００７−１７３９０９号公報
【図１】
2010206594.tif 000003
【図２】
2010206594.tif 000004
【図３】
2010206594.tif 000005
【図４】
2010206594.tif 000006
【図５】
2010206594.tif 000007
【図６】
2010206594.tif 000008
【図７】
2010206594.tif 000009
【図８】
2010206594.tif 000010
【図９】
2010206594.tif 000011
【図１０】
2010206594.tif 000012